(57)【要約】    【課題】  ストロボユニットを使用した撮影時の制限を極力少なくすることができるカメラを提供する。    【解決手段】  アダプタ筒６８は、アダプタ筒前部６８ａとそれに結合可能なアダプタ筒後部６８ｂとから構成される。アダプタ筒前部６８ａには、前部マクロストロボ取付部６８ｊが設けられ、アダプタ筒前部６８ａには、ツインストロボ８０が取り付けられる。また、ツインストロボ８０を後部マクロストロボ取付部６８ｇに取り付けることが可能である。すなわち、ツインストロボ８０を、アダプタ筒前部６８ａが外されたアダプタ筒後部６８ｂのみのアダプタ筒６８を介してカメラ本体６９に取り付けることが可能である。【選択図】      図２５
2005221856.tif 000002
【特許請求の範囲】
【請求項１】
焦点距離が可変で焦点距離変動に伴い光学全長が変化する撮影光学系を有する鏡筒と、該鏡筒が取り付けられるカメラ本体とを備えるカメラにおいて、
前記カメラ本体に対して固定されるように装着されるストロボ取付装置を備え、
前記ストロボ取付装置は、ストロボユニットが取り付けられるストロボ取付部を有し、前記ストロボ取付部の位置を前記撮影光学系の光軸方向に沿って変更可能に構成されていることを特徴とするカメラ。
【請求項２】
前記ストロボ取付装置は、前記ストロボ取付部を前記撮影光学系の光軸方向に沿った複数の位置にそれぞれ止定可能であることを特徴とする請求項１記載のカメラ。
【請求項３】
前記ストロボ取付装置は、前記撮影光学系の光軸方向に沿って伸縮可能な筒状の本体を有し、該本体には、前記ストロボ取付部としての１つの取付部が形成されていることを特徴とする請求項１記載のカメラ。
【請求項４】
前記ストロボ取付装置は、前記撮影光学系の光軸方向に沿って複数の部分に分割可能な筒状の本体を有し、前記本体の前記複数の部分には、それぞれ、前記ストロボ取付部としての１つの取付部が形成されていることを特徴とする請求項１記載のカメラ。
【請求項５】
前記本体の前記複数の部分のうち、先頭に位置する部分には、前記ストロボ取付部とともに、他のアクセサリを取り付けるためのアクセサリ取付部が設けられていることを特徴とする請求項４記載のカメラ。
【請求項６】
前記本体の前記複数の部分は、ねじ結合により互いに結合され、前記アクセサリ取付部は、前記複数の部分のねじ結合と異なる仕様のねじ結合により前記他のアクセサリと結合されることを特徴とする請求項５記載のカメラ。
【請求項７】
前記本体の前記複数の部分のうち、前記カメラ本体に固定される部分には、三脚取付部が設けられていることを特徴とする請求項４記載のカメラ。
【請求項８】
前記三脚取付部は、前記撮影光学系の光軸周りの回転位相を所定の位相に固定可能であることを特徴とする請求項７記載のカメラ。
【請求項９】
前記本体の前記複数の部分のうち、先頭に位置する部分には、前記ストロボ取付部とともに、他のアクセサリを取り付けるためのアクセサリ取付部が設けられ、前記三脚取付部は、前記鏡筒および前記アクセサリ取付部を介して前記他のアクセサリが取り付けられたカメラ本体の略重心位置に対応する位置に設けられていることを特徴とする請求項７記載のカメラ。
【請求項１０】
撮影光学系を有する鏡筒と、該鏡筒が取り付けられるカメラ本体とを備えるカメラにおいて、
前記カメラ本体に対して固定されるように装着されるアクセサリ取付装置を備え、
前記アクセサリ取付装置は、前記撮影光学系の光軸周りの回転位相を所定の位相に固定可能な三脚取付部を有することを特徴とするカメラ。
【請求項１１】
撮影光学系を有する鏡筒と、該鏡筒が取り付けられるカメラ本体とを備えるカメラにおいて、
前記カメラ本体に対して固定されるように装着されるアクセサリ取付装置を備え、
前記アクセサリ取付装置は、三脚取付部を有し、該三脚取付部は、前記鏡筒および前記アクセサリ取付装置を介してアクセサリが取り付けられたカメラ本体の略重心位置に対応する位置に設けられていることを特徴とするカメラ。
【発明の詳細な説明】
【技術分野】
【０００１】
本発明は、ストロボユニットまたはアクセサリを取付可能なカメラに関する。
【背景技術】
【０００２】
一般に、カメラにおいて、近接撮影を行う場合、被写体正面から被写体を均等に照明するために、リングライトや多灯ストロボユニットなどのいわゆるマクロストロボユニットが用いられ、このマクロストロボユニットは、レンズ鏡筒先端にレンズを取り囲むように取り付けられる（例えば特許文献１および２を参照）。
【０００３】
電動ズーム式の鏡筒においては、ズーム機構にマクロストロボユニットやコンバータレンズなどのアクセサリの荷重が加わると、ズームの停止精度が悪化する。これを解決するために、電動ズーム式の鏡筒のズーム機構に負荷を掛けない方法として、アダプタ筒を用いてコンバータレンズをカメラ本体に取り付ける方法（例えば特許文献３を参照）、ストロボホルダーを介してストロボユニットをカメラ本体に取り付ける方法（例えば特許文献４を参照）などが用いられている。
【特許文献１】特開２００１−５０５７号公報
【特許文献２】特開２００２−２２９１０６号公報
【特許文献３】特開２０００−３３０１７９号公報
【特許文献４】特開平０９−１０１５５２号公報
【発明の開示】
【発明が解決しようとする課題】
【０００４】
しかしながら、図２８に示すように、ズーム時に焦点距離が長くなるに従い全長が伸びるレンズ鏡筒を有するカメラに対して、ワイド側の画角をカバーするためにマクロストロボ７６を図２８の位置に取り付けると、テレ側へのズームによりレンズ鏡筒が伸びたときにレンズ鏡筒がストロボ光を遮り、被写体に影を作る場合がある。その結果、テレ側のマクロストロボ撮影を行うことができない。
【０００５】
これを避けるために、図２９に示すように、レンズ鏡筒の前方にアクセサリ取付装置７８を取り付け、レンズ鏡筒前方位置にツインストロボ８０のようなマクロストロボを配置する方法を用いることができる。しかしながら、この場合においては、ワイド時の撮影画面７９内にマクロストロボユニットやアクセサリ取付装置の一部が映ることがある。
【０００６】
このように、従来の取付装置はマクロストロボ撮影可能な焦点距離を制限するので、撮影者が意図する撮影を行うことができないことがある。
【０００７】
また、アクセサリを取り付けたカメラを、カメラ本体の三脚座を介して三脚に取り付けて撮影するとき、アクセサリがコンバータレンズのように重いアクセサリである場合、重心がコンバータレンズ側に移動するので、三脚が倒れることがある。
【０００８】
本発明の第１の目的は、ストロボユニットを使用した撮影時の制限を極力少なくすることができるカメラを提供することにある。
【０００９】
本発明の第２の目的は、三脚に適正な姿勢で取り付けることができるカメラを提供することにある。
【００１０】
本発明の第３の目的は、重いアクセサリが取り付けられたカメラ本体を三脚に取り付けた際に三脚が転倒するなどの事態を招くことなく、三脚に安定して取り付けることができるカメラを提供することにある。
【課題を解決するための手段】
【００１１】
本発明は、上記第１の目的を達成するため、焦点距離が可変で焦点距離変動に伴い光学全長が変化する撮影光学系を有する鏡筒と、該鏡筒が取り付けられるカメラ本体とを備えるカメラにおいて、前記カメラ本体に対して固定されるように装着されるストロボ取付装置を備え、前記ストロボ取付装置は、ストロボユニットが取り付けられるストロボ取付部を有し、前記ストロボ取付部の位置を前記撮影光学系の光軸方向に沿って変更可能に構成されていることを特徴とする。
【００１２】
本発明は、上記第２の目的を達成するため、撮影光学系を有する鏡筒と、該鏡筒が取り付けられるカメラ本体とを備えるカメラにおいて、前記カメラ本体に対して固定されるように装着されるアクセサリ取付装置を備え、前記アクセサリ取付装置は、前記撮影光学系の光軸周りの回転位相を所定の位相に固定可能な三脚取付部を有することを特徴とする。
【００１３】
本発明は、上記第３の目的を達成するため、撮影光学系を有する鏡筒と、該鏡筒が取り付けられるカメラ本体とを備えるカメラにおいて、前記カメラ本体に対して固定されるように装着されるアクセサリ取付装置を備え、前記アクセサリ取付装置は、三脚取付部を有し、該三脚取付部は、前記鏡筒および前記アクセサリ取付装置を介してアクセサリが取り付けられたカメラ本体の略重心位置に対応する位置に設けられていることを特徴とする。
【発明の効果】
【００１４】
本発明によれば、ストロボユニットを使用した撮影時の制限を極力少なくすることができる。
【００１５】
また、本発明によれば、三脚に適正な姿勢で取り付けることができる。
【００１６】
また、本発明によれば、重いアクセサリが取り付けられたカメラ本体を三脚に取り付けた際に三脚が転倒するなどの事態を招くことなく、三脚に安定して取り付けることができる。
【発明を実施するための最良の形態】
【００１７】
以下、本発明の実施の形態について図面を参照しながら説明する。
【００１８】
図１は本発明の一実施の形態に係るカメラに取付可能な各種のアクセサリの外観を示す斜視図であり、図中の一点鎖線はアクセサリが取り付けられる位置を示す。また、図２はコンバータが取り付けられた状態の鏡筒を前方左下から見た分解斜視図、図３はワイド状態の鏡筒を前方左下から見た斜視図、図４はワイド状態の鏡筒を後方左下から見た斜視図、図５はワイド状態の鏡筒の中央部を示す縦断面図、図６はコンバータが取り付けられたテレ状態の鏡筒の中央部を示す縦断面図、図７はＣＣＤホルダとズーム駆動機構を前方左下から見た分解斜視図、図８はＣＣＤホルダとズーム駆動機構を前方左上から見た斜視図、図９は内固定筒を前方左下から見た斜視図、図１０は内固定筒を後方左から見た斜視図、図１１はカム筒を前方左下から見た斜視図、図１２はカム筒と全体群カムピン、全体群補助ピン、全体群耐衝撃ピンの組み込み状態を示す断面図、図１３は１群鏡筒と１群レンズホルダ、１群レンズ、１群バヨネットリングを前方左下から見た分解斜視図、図１４は１群鏡筒と１群レンズホルダ、１群レンズ、１群バヨネットリング、１群調整ビスの組み込み状態を示す断面図、図１５は１群鏡筒と１群バヨネットリングにフードが取り付けられた状態を示す断面図、図１６は１群鏡筒と１群バヨネットリングにフィルタとフィルタアダプタが取り付けられた状態を示す断面図、図１７は２群鏡筒を前方左下から見た分解斜視図、図１８は３群鏡筒とＳＨ（シャッタ）ユニットを前方左下から見た分解斜視図、図１９は４群鏡筒の前方左下から見た分解斜視図、図２０は４群鏡筒を前方左下から見た詳細分解斜視図、図２１は外固定筒と外固定筒バヨネットナット、外固定筒バヨネットビスを前方左下から見た分解斜視図、図２２は外固定筒バヨネットキーと外固定筒バヨネットボタン、外固定筒バヨネットロック部材、操作環を前方左下から見た分解斜視図、図２３は外固定筒バヨネットカバーと外固定筒バヨネットカバーキャップを前方左下から見た斜視図、図２４はコンバータとアダプタ筒の後方左から見た斜視図、図２５はアダプタ筒前部とアダプタ筒後部が結合されたアダプタ筒を介してツインストロボがカメラ本体に取り付けられた状態を示す斜視図、図２６はアダプタ筒後部のみのアダプタ筒を介してツインストロボがカメラ本体に取り付けられた状態を示す斜視図、図２７はアダプタ筒を介してコンバータレンズが取り付けられたカメラを裏面側から見た斜視図である。
【００１９】
本実施の形態のカメラは、デジタルカメラであり、その鏡筒には、図５に示すように、１群レンズＬ１、２群レンズＬ２、３群レンズＬ３、４群レンズＬ４、ローパスフィルタＬ５が内蔵される。また、鏡筒には、図２，図４，図５，図７および図８に示すように、ＣＣＤ１、ＣＣＤプレート２、ＣＣＤホルダ３、ＣＣＤフレキシブル基板４、メイン基板５（図２を参照）、ズームモータ６、光学フレキシブル基板７、モータカバー８、ギア列９、ギアカバー１０、スリップ１１、最終段ギア１２、ポテンションメータ１３、ポテンションギア１４、パルス板１５、エンコーダカバー１６、エンコーダフォトインタラプタ１７、リセットフォトインタラプタ１８が内蔵される。さらに、鏡筒には、図２に示すように、内固定筒１９、カム筒２０、１群レンズＬ１を保持する１群鏡筒２４、２群レンズＬ２を保持する２群鏡筒３４、３群レンズＬ３を保持する３群鏡筒３８、４群レンズＬ４を保持する４群鏡筒４４、外固定筒５５が内蔵される。
【００２０】
内固定筒１９（図２を参照）には、図９および図１０に示すように、全体群カム溝１９ａ、全体群補助ピンカム溝１９ｂ、全体群耐衝撃カム溝１９ｃ、２，３，４群直進溝１９ｄ、２，３，４群ピン穴１９ｅ、２，３，４群ピン抜け止め壁１９ｆが設けられている。
【００２１】
カム筒２０（図２を参照）には、図５および図１１に示すように、カム筒のギア部２０ａ、１群カム溝２０ｂ、１群補助ピン溝２０ｃ、１群ヘリコイド溝２０ｄ、２群カム溝２０ｅ、３群カム溝２０ｆ、４群カム溝２０ｇが設けられている。カム筒２０には、図１２に示すように、全体群カムピン２１ａ、全体群補助ピン２１ｂ、全体群耐衝撃ピン２２、全体群耐衝撃ナット２３が設けられている。
【００２２】
１群鏡筒２４（図２を参照）には、図５、図１３、図１４、図１５および図１６に示すように、１群ヘリコイド２４ａ、リセット板部２４ｂ、１群ホルダ当接部２４ｃ、１群ホルダ保持部２４ｄ、１群調節ビス穴２４ｅ、１群バヨネットナット穴２４ｆ、１群鏡筒バヨネットビス嵌合穴２４ｇが設けられている。また、１群カムピン２５、１群補助ピン２６、１群調整ビス２８が設けられているとともに（図１４を参照）、１群コロ２９、１群コロピン３０、１群バヨネットリング３１、１群アクセサリー取付部３１ａ、１群バヨネットリングビス嵌合穴３１ｂ、１群バヨネットビス３２、１群バヨネットナット３３が設けられている（図１３を参照）。また、１群鏡筒２４先端には、１群レンズＬ１を１群レンズホルダ基準面２７ａ（図５）に保持する１群レンズホルダ２７が設けられている。１群レンズホルダ２７には、１群ホルダバヨネット腕部２７ｂ（図１３）、群レンズホルダ斜面部２７ｃ（図１４）が設けられている。
【００２３】
また、２群鏡筒３４（図２を参照）には、図５および図１７に示すように、２群ピン抜け止めキー３４ａ、２群カムピン３５、２群コロ３６、２群コロピン３７が設けられている。
【００２４】
また、３群鏡筒３８（図２を参照）には、図５および図１８に示すように、３群ピン抜け止めキー３８ａ、３群カムピン３９、３群コロ４０、３群コロピン４１が設けられている。３群鏡筒３８は、ＳＨユニットフレキシブル基板４３を介して、ＳＨユニット４２（図２を参照）と接続される。
【００２５】
また、４群鏡筒４４（図２を参照）には、図５、図１９および図２０に示すように、４群ピン抜け止めキー４４ａ、４群カムピン４５、４群コロ４６、４群コロピン４７、４群レンズホルダ４８、４群嵌合スリーブ部４８ａ、４群駆動モータ４９、４群駆動ギア列５０、４群駆動スクリュー５１、４群駆動ナット５２、４群嵌合バー５３、４群フレキシブル基板５４、４群ギア地板７４、４群ギアカバー７５が設けられている。
【００２６】
また、外固定筒５５（図２を参照）には、図４、図５、図６、図２１および図２２に示すように、１群直進キー溝５５ａ、外固定筒バヨネットナット穴５５ｂ、外固定筒バヨネットビス嵌合穴５５ｃ、外固定筒バヨネットキー溝５５ｄ、カメラ本体取付部５５ｆ、最終段ギア軸嵌合穴（図示せず）、スリップ嵌合穴（図示せず）が設けられている。また、外固定筒５５には、外固定筒バヨネットリング５６が組み込まれ、外固定筒バヨネットリング５６には、外固定筒アクセサリ取付部５６ａ、外固定筒バヨネットリング取付けビス穴５６ｂが設けられている。また、外固定筒バヨネットナット５７、外固定筒バヨネットビス５８が設けられている。
【００２７】
また、図６、図２１、図２２および図２３に示すように、外固定筒バヨネットキー５９、外固定筒バヨネットボタン６０、外固定筒バヨネットロック部材６１、外固定筒バヨネットバネ６２、操作環６３（図２も参照）、操作環エンコーダ６４、外固定筒バヨネットカバー６５（図２も参照）が設けられている。外固定筒バヨネットカバー６５には、図２３に示すように、外固定筒バヨネットロック部材６１が係合する外固定筒バヨネットカバーキー溝６５ａが設けられているとともに、外固定筒バヨネットカバーキャップ６６が装着されている（図２も参照）。
【００２８】
また、図６および図２４に示すように、アダプタ筒６８を介してコンバータ６７を鏡筒に取りけることが可能である。ここで、アダプタ筒６８はアダプタ筒前部６８ａとアダプタ筒後部６８ｂとに分割可能に構成されている。アダプタ筒前部６８ａには、アダプタ筒後部取り付けねじ６８ｈ、コンバータ取り付けねじ６８ｉ、および前部マクロストロボ取り付け部６８ｊが設けられている。アダプタ筒後部６８ｂには、アダプタ筒バヨネット部６８ｃが設けられ、アダプタ筒バヨネット部６８ｃ、アダプタ筒キー溝６８ｄ、アダプタ筒三脚座６８ｅ、アダプタ筒前部取り付けねじ６８ｆ、後部マクロストロボ取り付け部６８ｇが設けられている。
【００２９】
また、図１に示すように、カメラ本体６９がカメラ外装７０で覆われ、カメラ外装７０には、カメラ外装７０の鏡筒取付け穴７０ａ、外固定筒バヨネットボタン穴７０ｂが設けられている。また、鏡筒先端には、図１、図１５および図１６に示すように、フード７１またはフィルタアダプタ７２が取付可能であり、フィルタアダプタ７２には、フィルタ７３が取付可能である。フード７１は、ワイドの有効光線をケラないように被写体側端部の対角に合わせて切り欠いた花形フードである。
【００３０】
また、図１、図２５および図２６に示すように、本実施の形態のカメラには、アダプタ筒６８を介してリングライト７６、クローズアップレンズ７７、ツインストロボ７８を装着することが可能である。
【００３１】
次に、上記構成の鏡筒において、各部品の関係について詳細に説明する。
【００３２】
図５に示すように、１群レンズＬ１、２群レンズＬ２、３群レンズＬ３、４群レンズＬ４、ローパスフィルタＬ５が適宜配置され、これらにより撮影光学系が構成される。この撮影光学系によりＣＣＤ１の結像面に被写体像が投影される。
【００３３】
ＣＣＤ１は、図４および図５に示すように、ＣＣＤプレート２に接着され、このＣＣＤプレート２を介してＣＣＤホルダ３に固定される。また、ＣＣＤ１はＣＣＤフレキシブル基板４を介してメイン基板５に電気的に接続され、１群レンズＬ１からローパスフィルタＬ５までによって結像面に投影される被写体像を電気信号に変換する。この電気信号は、所定の処理が施された後に、画像信号としてメモリに記憶される。
【００３４】
図２、図３、図４、図７および図８に示すように、ズームモータ６は、ＣＣＤホルダ３に固定される。ズームモータ６は、モータカバー８で覆われ、これにより、ズームモータ６への異物の侵入が防止されている。ズームモータ６の回転はギア列９に入力されて減速された後、スリップ１１を介して最終段ギア１２に伝えられる。ギア列９は、ＣＣＤホルダ３とギアカバー１０に回転可能に保持される。スリップ１１は、ＣＣＤホルダ３と外固定筒５５のスリップ嵌合穴に回転可能に支持され、最終段ギア１２は、ＣＣＤホルダ３と外固定筒５５の最終段ギア軸嵌合穴に同じく回転可能に支持される。
【００３５】
ポテンションメータ１３はポテンションギア１４によって最終段ギア１２の回転を検出する。パルス板１５はギア列９の前段に取り付けられ、ズームモータ６の回転に同期して回転する。このパルス板１５はエンコーダカバー１６によって物理的外乱から保護され、ギア列９のギアの１つと一体的に回転するように取り付けられている。パルス板１５の回転は、エンコーダフォトインタラプタ１７（図４）で検出される。リセットフォトインタラプタ１８は、ＣＣＤホルダ３に取り付けられており、１群鏡筒２４の撮影光学系光軸方向の進退によって図１３のリセット板部２４ｂの端面が該リセットフォトインタラプタ１８の遮光と透光状態を切り換えたことを検出する。
【００３６】
ズームモータ６、ポテンションメータ１３、エンコーダフォトインタラプタ１７、およびリセットフォトインタラプタ１８は、光学フレキシブル基板７を介してメイン基板５に結線され、ズーム駆動機構の電気回路を構成する。
【００３７】
図２、図５、図９、図１０、図１１および図１２に示すように、内固定筒１９は、ＣＣＤホルダ３と外固定筒５５にビスによる共締めで固定される。また、内固定筒１９の外周には、全体群カム溝１９ａ、全体群補助ピンカム溝１９ｂ、全体群耐衝撃溝１９ｃが１２０度等分にそれぞれ３箇所設けられ、全体群カム溝１９ａにはカム筒２０に取り付けられる全体群カムピン２１ａが嵌合し、全体群補助ピンカム溝１９ｂには全体群補助ピン２１ｂが、全体群耐衝撃溝１９ｃには全体群耐衝撃ピンが、それぞれ通常は、ピンの円筒もしくは円錐面が溝のフランク面に接触することなく溝を通過するように設けられている。内固定筒１９の円筒部内周には、２，３，４群直進溝１９ｄと円筒部を貫通する２，３，４群ピン穴１９ｅが、円筒部の外周には２，３，４群ピン抜け止め壁１９ｆが、１２０度等分にそれぞれ３箇所設けられている。
【００３８】
図５、図１１、図１２および図１４に示すように、カム筒２０の外周には、１群カム溝２０ｂ、１群補助ピン溝２０ｃ、３条１組の１群ヘリコイド溝２０ｄが１２０度等分にそれぞれ３箇所設けられている。カム筒２０の内周には、２群カム溝２０ｅ、３群カム溝２０ｆ、４群カム溝２０ｇと全体群カムピン２１ａ、全体群補助ピン２１ｂが１２０度等分にそれぞれ３箇所設けられている。また、カム筒２０の内周に全体群耐衝撃ナット２３が全体群補助ピン２１ｂと同じく３つ設けられ、外周から全体群耐衝撃ピン２２がカム筒２０を共締めする形でねじ込まれ、固定されている。また、カム筒２０の外周の１群カム溝２０ｂには、１群カムピン２５が嵌合し、１群補助ピン溝２０ｃには１群補助ピン２６が、１群ヘリコイド溝２０ｄには１群ヘリコイド２４ａが、それぞれ通常のズーム動作中は接触することなく通過するように設けられている。
【００３９】
上記カム筒２０は、内固定筒１９の外周に回転可能に嵌合している。カム筒２０の外周結像面側端には、前記最終段ギア１２と噛合うギア部２０ａがあり、カム筒２０は、ズームモータ６の回転力によって内固定筒１の周りで回転する。この回転によって全体群カムピン２１ａが全体群カム溝１９ａに沿って移動し、カム筒２０が全体群カム溝１９ａのカム軌跡のリフト量分光軸方向に移動する。
【００４０】
図５、図１３および図１４に示すように、１群鏡筒２４の円筒形状の結像面側端部には、上記リセット板部２４ｂが設けられ、被写体側端部には１群ホルダ当接部２４ｃが１箇所、１群ホルダ保持部２４ｄと１群調節ビス穴２４ｅ、１群バヨネットナット穴２４ｆ、１群鏡筒バヨネットビス嵌合穴２４ｇが１２０度等分にそれぞれ３箇所設けられている。
【００４１】
また、１群レンズホルダ２７の内周には、１群レンズＬ１が保持される。１群ホルダ保持部２４ｄと１群ホルダバヨネット腕部２７ｂがバヨネット結合されることで、１群レンズホルダ２７は１群鏡筒２４に引き込まれる方向に付勢される。１群レンズホルダ２７の外周は１群鏡筒２４の内径と嵌合し、１群レンズホルダ基準面２７ａが１群ホルダ当接部２４ｃに当接し、光軸方向の位置が決まる。１群調整ビス２８は１群鏡筒２４の側面の１群調節ビス穴２４ｅにねじ込まれ、先端のテーパー面２８ａで１群レンズホルダ斜面部２７ｃを光軸方向に押し上げることで１群レンズＬ１の傾きを調整可能にする。１群レンズＬ１の傾きを調整した後、１群レンズホルダ２７は１群鏡筒２４に接着固定される。
【００４２】
１群バヨネットナット穴２４ｆには、１群バヨネットナット３３が入れられる。１群鏡筒２４の先端に１群バヨネットリング３１が取り付けられた後、１群バヨネットビス３２が１群鏡筒バヨネットビス嵌合穴２４ｇと１群バヨネットリングビス嵌合穴３１ｂに挿入され、１群バヨネットナット３３にねじ込まれる。これにより、１群バヨネットリング３１が１群鏡筒２４先端に固定される。
【００４３】
図１、図２、図１３、図１４、図１５、図１７および図２１に示すように、１群バヨネットリング３１の外周には１群アクセサリ取付部３１ａが設けられており、公知のバヨネット結合によって、フード７１やフィルタアダプタ７２が取付可能である。フィルタアダプタ７２にはフィルタ７３がネジ結合で取り付けられる。１群鏡筒２４の内周には、１群カム溝２０ｂに嵌合する１群カムピン２５、１群補助ピン溝２０ｃを通過する１群補助ピン２６が１２０度等分にそれぞれ３箇所固定され、１群コロピン３０を回転中心に１群コロ２９が回転可能に２箇所保持されている。また、１群コロ２９は外固定筒５５の１群直進キー溝５５ａに嵌合し、カム筒２０が内固定筒１９周りに回転すると、１群カムピン２５の嵌合するカム筒２０の１群カム溝２０ｂのカム曲線のリフト量に従って、１群鏡筒２４が光軸周りに回転することなく光軸方向に移動される。
【００４４】
図２、図５および図１７に示すように、２群鏡筒３４の内周には、２群レンズＬ２が保持される。また、２群鏡筒３４の外周には、内固定筒１９の２，３，４群ピン穴１９ｅを貫通しカム筒２０の内周の２群カム溝２０ｅに嵌合する２群カムピン３５と、衝撃が加わったときに内固定筒１９の２，３，４群ピン抜け止め壁１９ｆに係合する２群ピン抜け止めキー３４ａが１２０度等分にそれぞれ３箇所固定され、２群コロピン３７を回転中心に２群コロ３６が回転可能に２個所保持されている。
【００４５】
２群コロ３６は内固定筒１９の２，３，４群直進溝１９ｄに嵌合し、カム筒２０が内固定筒１９周りに回転すると、２群カムピン３５の嵌合するカム筒２０の２群カム溝２０ｅのカム曲線のリフト量に従って、２群鏡筒３４が光軸周りに回転することなく光軸方向に移動される。
【００４６】
図２、図５および図１８に示すように、３群鏡筒３８の内周には３群レンズＬ３が保持され、３群鏡筒３８の被写体側にはＳＨユニット４２とＳＨユニットフレキシブル基板４３が保持される。ＳＨユニット４２は、ＳＨユニットフレキシブル基板４３が接続される光学フレキシブル基板７を介してメイン基板５に結線され、公知の光量調整機構として機能する。
【００４７】
また、３群鏡筒３８の外周には、内固定筒１９の２，３，４群ピン穴１９ｅを貫通しカム筒２０の内周の３群カム溝２０ｆに嵌合する３群カムピン３９と、衝撃が加わったときに内固定筒１９の２，３，４群ピン抜け止め壁１９ｆに係合する３群ピン抜け止めキー３８ａが１２０度等分にそれぞれ３箇所固定され、３群コロピン４１を回転中心に３群コロ４０が回転可能に２箇所保持されている。
【００４８】
上記の３群コロ４０は、内固定筒１９の２，３，４群直進溝１９ｄに嵌合し、カム筒２０が内固定筒１９周りに回転すると、３群カムピン３９の嵌合するカム筒２０の３群カム溝２０ｆのカム曲線のリフト量に従って、３群鏡筒３８が光軸周りに回転することなく光軸方向に移動される。
【００４９】
図５、図１９および図２０に示すように、４群鏡筒４４の被写体側には、４群ギア地板７４と４群ギアカバー７５、４群嵌合バー５３、４群駆動モータ４９が固定され、４群ギア地板７４と４群ギアカバー７５によって４群駆動ギア列５０、４群駆動スクリュー５１が回転可能に４群鏡筒４４に対して保持される。４群駆動モータ４９は４群フレキシブル基板５４と電気的に接続され、４群フレキシブル基板５４は光学フレキシブル基板７を介してのメイン基板５に結線される。４群駆動モータ４９が回転すると４群駆動ギア列５０に接続される４群駆動スクリュー５１が回転する。
【００５０】
４群レンズホルダ４８の内周には、４群レンズＬ４が保持される。４群レンズホルダ４８は、４群嵌合バー５３に嵌合する４群嵌合スリーブ部４８ａと振れ止め（図示せず）によって光軸方向に移動可能に支持される。４群レンズホルダ４８には４群駆動ナット５２取り付けられている。４群駆動スクリュー５１が回転すると、４群駆動スクリュー５１のネジに係合する４群駆動ナット５２が光軸方向に移動し、４群レンズホルダ４８と４群レンズＬ４が光軸方向に移動する。４群レンズＬ４が光軸方向に移動することによって、フォーカス動作が可能になる。
【００５１】
また、４群鏡筒４４の外周には、内固定筒１９の２，３，４群ピン穴１９ｅを貫通しカム筒２０の内周の４群カム溝２０ｇに嵌合する４群カムピン４５と、衝撃が加わったときに内固定筒１９の２，３，４群ピン抜け止め壁１９ｆに係合する４群ピン抜け止めキー４４ａが１２０度等分にそれぞれ３箇所固定され、４群コロピン４７を回転中心に４群コロ４６が回転可能に２箇所保持されている。
【００５２】
４群コロ４６は、内固定筒１９の２，３，４群直進溝１９ｄに嵌合し、カム筒２０が内固定筒１９周りに回転すると、４群カムピン４５が嵌合するカム筒２０の４群カム溝２０ｇのカム曲線のリフト量に従って、４群鏡筒４４が光軸周りに回転することなく光軸方向に移動される。
【００５３】
図２、図４、図５、図６、図２１および図２２に示すように、外固定筒５５の被写体側端部には、外固定筒バヨネットナット穴５５ｂと外固定筒バヨネットビス嵌合穴５５ｃが１２０度等分にそれぞれ３箇所設けられ、外固定筒５５の円筒形状外周には、外固定筒バヨネットキー溝５５ｄが１箇所設けられている。
【００５４】
図６および図２２に示すように、外固定筒バヨネットキー５９の被写体側端部には、外固定筒バヨネットロック部材６１が、本体側端部には、外固定筒バヨネットボタン６０がそれぞれ取り付けられる。外固定筒５５には、外固定筒バヨネットバネ６２（図２１も参照）が取り付けられ、外固定筒バヨネットバネ６２は、外固定筒バヨネットキー溝５５ｄに組み込まれる外固定筒バヨネットキー５９を光軸方向被写体側に付勢する。
【００５５】
外固定筒５５には、操作リングエンコーダ６４が取付けられ、操作リングエンコーダ６４は、外固定筒５５の外周で回転する操作環６３の回転方向と回転量を検出する。外固定筒バヨネットナット穴５５ｂには、外固定筒バヨネットナット５７が光軸方向から３箇所と光軸に垂直な方向から５箇所挿入され、外固定筒５５の被写体側端部に外固定筒バヨネットリング５６を取り付けた後に、外固定筒バヨネットビス５８が外固定筒バヨネットビス嵌合穴５５ｃと外固定筒バヨネットリング取り付けビス穴５６ｂを貫通して外固定筒バヨネットナット５７に締め込まれる。これにより、外固定筒バヨネットリング５６が固定される。
【００５６】
図５に示すように、外固定筒５５には、１群鏡筒２４から４群鏡筒４４が取り付けられた内固定筒１９をビス（図示せず）で共締めすることにより、ＣＣＤホルダ３が取り付けられる。これにより、鏡筒ユニットが構成される。外固定筒５５のフランジ部には、図４に示すように、カメラ本体取付部５５ｆが設けられ、カメラ本体６９へ鏡筒ユニットがビス（図示せず）によって取り付けられる。また、カメラ本体６９には、図１に示すようにカメラ外装７０が取り付けられている。カメラ外装７０の鏡筒取付穴７０ａからは、鏡筒ユニットが突出し、カメラ外装７０の外固定筒バヨネットボタン穴７０ｂからは、外固定筒バヨネットボタン６０が押し下げ可能に露出する。
【００５７】
図２３に示すように、外固定筒バヨネットカバーキャップ６６は、外固定筒バヨネットカバー６５に一体的に固定され、バヨネット結合で図２１に示す外固定筒バヨネットリング５６の外固定筒アクセサリ取付部５６ａに脱着可能に取り付けられる。バヨネット結合された外固定筒バヨネットカバーキャップ６６は、外固定筒バヨネットキー５９を介して外固定筒バヨネットバネ６２によって光軸方向被写体側に付勢される外固定筒バヨネットロック部材６１が外固定筒バヨネットカバーキー溝６５ａに係合することで回転を規制される。
【００５８】
図６、図２５、図２６および図２７に示すように、コンバータ６７は、コンバータ取り付けねじ６８ｉを介してアダプタ筒前部６８ａに取り付けられる。アダプタ筒前部６８ａのアダプタ筒後部とりつけねじ６８ｆとアダプタ筒後部６８ｂのアダプタ筒前部取り付けねじを締結することによって、アダプタ筒前部６８ａとアダプタ筒６８ｂが結合される。アダプタ筒６８ｂのアダプタ筒バヨネット部６８ｃはバヨネット結合で外固定筒バヨネットリング５６の外固定筒アクセサリー取付部５６ａ（図２２を参照）に脱着可能に取り付けられる。バヨネット結合されたアダプタ筒６８は、外固定筒バヨネットキー５９を介して外固定筒バヨネットバネ６２によって光軸方向被写体側に付勢される外固定筒バヨネットロック部材６１がアダプタ筒キー溝６８ｄに係合することにより、その回転が規制される。
【００５９】
図２５に示すように、ツインストロボ８０は前部マクロストロボ取付部６８ｊに取り付けられる。これにより、ツインストロボ８０は、アダプタ筒前部６８ａとアダプタ筒後部６８ｂが結合されたアダプタ筒６８を介して、カメラ本体６９に取り付けられることになる。
【００６０】
また、図２６に示すように、ツインストロボ８０を後部マクロストロボ取付部６８ｇに取り付けることが可能である。すなわち、ツインストロボ８０を、アダプタ筒前部６８aが外されたアダプタ筒後部６８ｂのみのアダプタ筒６８を介してカメラ本体６９に取り付けることが可能である。
【００６１】
図２５に示すようなツインストロボ８０の取付状態での撮影は、撮影光学系の焦点距離が長く鏡筒の全長が長い場合に有効である。すなわち、上記状態での撮影においては、ストロボ光が鏡筒で遮られて撮影画面に影が作られることがない。
【００６２】
また、図２６に示すようなツインストロボ８０の取付状態での撮影は、撮影光学系の焦点距離が短く鏡筒の全長が短い場合に有効である。すなわち、ツインストロボ８０の取付状態での撮影においては、撮影画面にマクロストロボやアダプタ筒が映り込むことがない。
【００６３】
よって、アダプタ筒前部６８ａとそれに結合可能なアダプタ筒後部６８ｂとから構成されるアダプタ筒６８を用いれば、マクロストロボ撮影における焦点距離による撮影制限を極力少なくすることができ、撮影者が意図する撮影を行うことができる。
【００６４】
また、アダプタ筒前部取付ねじ６８ｆおよびアダプタ筒後部取付ネジ６８ｈと、コンバータ取付ねじ６８ｉとは、それぞれ呼び径の異なるねじであるので、アダプタ筒後部６８ｂにコンバータなどのアクセサリを取り付けることはできない。すなわち、アダプタ筒後部６８ｂにアクセサリが誤って取り付けられることはない。
【００６５】
図６および図２７に示すように、アダプタ筒後部６８ｂは、バヨネット結合で外固定筒バヨネットリング５６の外固定筒アクセサリ取付部５６ａ（図２２を参照）に脱着可能に取り付けられるので、カメラ本体６９とアダプタ筒後部６８ｂに設けられたアダプタ筒三脚座６８ｅとの回転位相関係が所定の位相に固定され、アダプタ筒三脚座６８ｅを介してカメラを三脚に固定したときに、三脚は水平であるにもかかわらず、カメラを水平に固定することができないなど、撮影者が意図する角度でカメラを固定することができないなどの事態の発生が防止される。
【００６６】
さらに、図２７に示すように、アダプタ筒三脚座６８ｅは、上記コンバータレンズを取り付けたカメラのほぼ重心位置に配置されているので、アダプタ筒６８を介してコンバータレンズを取り付けたカメラを、アダプタ筒三脚座６８ｅを介して三脚に固定した際に、不用意に三脚が倒れるなどの事態を招くことなく、安定して三脚へ取り付けることができる。
【００６７】
なお、本実施の形態では、アダプタ筒前部６８ａとアダプタ筒後部６８ｂとに分割可能なアダプタ筒６８の例を示したが、これに代えて、アダプタ筒を光軸方向に伸縮可能に構成してもよい。この場合も同様の効果を得ることができる。
【００６８】
また、本実施の形態では、デジタルカメラの場合を示したが、上記アダプタ筒６８を、焦点距離が可変で焦点距離変動に伴い光学全長が変化する撮影光学系を有する銀塩カメラに適用することができることはいうまでもない。
【図面の簡単な説明】
【００６９】
【図１】本発明の一実施の形態に係るカメラに取付可能な各種のアクセサリの外観を示す斜視図である。
【図２】コンバータが取り付けられた状態の鏡筒を前方左下から見た分解斜視図である。
【図３】ワイド状態の鏡筒を前方左下から見た斜視図である。
【図４】ワイド状態の鏡筒を後方左下から見た斜視図である。
【図５】ワイド状態の鏡筒の中央部を示す縦断面図である。
【図６】コンバータが取り付けられたテレ状態の鏡筒の中央部を示す縦断面図である。
【図７】ＣＣＤホルダとズーム駆動機構を前方左下から見た分解斜視図である。
【図８】ＣＣＤホルダとズーム駆動機構を前方左上から見た斜視図である。
【図９】内固定筒を前方左下から見た斜視図である。
【図１０】内固定筒を後方左から見た斜視図である。
【図１１】カム筒を前方左下から見た斜視図である。
【図１２】カム筒と全体群カムピン、全体群補助ピン、全体群耐衝撃ピンの組み込み状態を示す断面図である。
【図１３】１群鏡筒と１群レンズホルダ、１群レンズ、１群バヨネットリングを前方左下から見た分解斜視図である。
【図１４】１群鏡筒と１群レンズホルダ、１群レンズ、１群バヨネットリング、１群調整ビスの組み込み状態を示す断面図である。
【図１５】１群鏡筒と１群バヨネットリングにフードが取り付けられた状態を示す断面図である。
【図１６】１群鏡筒と１群バヨネットリングにフィルタとフィルタアダプタが取り付けられた状態を示す断面図である。
【図１７】２群鏡筒を前方左下から見た分解斜視図である。
【図１８】３群鏡筒とＳＨ（シャッタ）ユニットを前方左下から見た分解斜視図である。
【図１９】４群鏡筒の前方左下から見た分解斜視図である。
【図２０】４群鏡筒を前方左下から見た詳細分解斜視図である。
【図２１】外固定筒と外固定筒バヨネットナット、外固定筒バヨネットビスを前方左下から見た分解斜視図である。
【図２２】外固定筒バヨネットキーと外固定筒バヨネットボタン、外固定筒バヨネットロック部材、操作環を前方左下から見た分解斜視図である。
【図２３】外固定筒バヨネットカバーと外固定筒バヨネットカバーキャップを前方左下から見た斜視図である。
【図２４】コンバータとアダプタ筒の後方左から見た斜視図である。
【図２５】アダプタ筒前部とアダプタ筒後部が結合されたアダプタ筒を介してツインストロボがカメラ本体に取り付けられた状態を示す斜視図である。
【図２６】アダプタ筒後部のみのアダプタ筒を介してツインストロボがカメラ本体に取り付けられた状態を示す斜視図である。
【図２７】アダプタ筒を介してコンバータレンズが取り付けられたカメラを裏面側から見た斜視図である。
【図２８】従来の方法でマクロストロボが取り付けられたカメラを示す斜視図である。
【図２９】従来の方法でツインストロボが取り付けられたカメラを示す斜視図である。
【符号の説明】
【００７０】
６８  アダプタ筒
６８ａ  アダプタ筒前部
６８ｂ  アダプタ筒後部
６８ｅ  アダプタ筒三脚座
６８ｇ  後部マクロストロボ取付部
６８ｊ  前部マクロストロボ取付部
６９  カメラ本体
【図１】
2005221856.tif 000003
【図２】
2005221856.tif 000004
【図３】
2005221856.tif 000005
【図４】
2005221856.tif 000006
【図５】
2005221856.tif 000007
【図６】
2005221856.tif 000008
【図７】
2005221856.tif 000009
【図８】
2005221856.tif 000010
【図９】
2005221856.tif 000011
【図１０】
2005221856.tif 000012
【図１１】
2005221856.tif 000013
【図１２】
2005221856.tif 000014
【図１３】
2005221856.tif 000015
【図１４】
2005221856.tif 000016
【図１５】
2005221856.tif 000017
【図１６】
2005221856.tif 000018
【図１７】
2005221856.tif 000019
【図１８】
2005221856.tif 000020
【図１９】
2005221856.tif 000021
【図２０】
2005221856.tif 000022
【図２１】
2005221856.tif 000023
【図２２】
2005221856.tif 000024
【図２３】
2005221856.tif 000025
【図２４】
2005221856.tif 000026
【図２５】
2005221856.tif 000027
【図２６】
2005221856.tif 000028
【図２７】
2005221856.tif 000029
【図２８】
2005221856.tif 000030
【図２９】
2005221856.tif 000031